(57)【要約】【課題】セキュリティ性を担保しつつ小型化及びコストダウンを図ることができる携帯端末装置を提供すること。【解決手段】ＲＴＣ５０は、外部の水晶振動子６０の発振動作に基づいてクロック信号を生成する発振回路部５１と、所定の情報が書き込まれるレジスタ５２、を備えている。また、ＲＦＩＤチップ７１は、磁界アンテナ７０により所定の電磁波を受信した場合、レジスタ５２に不使用状態を示す情報（フラグ）が書き込まれているかどうかを確認し、レジスタ５２に不使用状態を示す情報が書き込まれているときには、ＲＦＩＤ部４８による通信を規制（禁止）する。【選択図】図３
2009005052.tif 000002
【特許請求の範囲】
【請求項１】
水晶振動子の発振動作に基づいてクロック信号を生成する発振回路部と、所定の情報が書き込まれるレジスタと、を有し、前記クロック信号から時間情報を生成する時間情報生成部と、
前記時間情報生成部に電源電圧を供給するバッテリと、
前記時間情報に基づいて時刻を算出する制御部と、
前記レジスタに接続されており、外部機器と磁界通信を行う磁界通信部と、を備え、
前記制御部は、前記磁界通信部の不使用状態が指定された場合、前記レジスタに前記磁界通信部の不使用状態を示す情報を書き込み、
前記磁界通信部は、前記外部機器から送信される外部磁界によって磁界通信が要求された場合、前記レジスタに前記不使用状態を示す情報が書き込まれているかどうかを確認し、前記レジスタに前記不使用状態を示す情報が書き込まれているときには、磁界通信を規制することを特徴とする携帯端末装置。
【請求項２】
前記時間情報生成部は、前記クロック信号に基づいて生成した時間情報を前記レジスタに書き込み、前記レジスタに書き込まれている時間情報が所定時間に達した場合、前記レジスタに書き込まれている前記磁界通信部の不使用状態を示す情報を消去して、前記磁界通信部による磁界通信を可能にすることを特徴とする請求項１記載の携帯端末装置。
【請求項３】
前記バッテリから供給される電源電圧を所定の電源電圧に変換し、変換後の電源電圧を前記磁界通信部に供給する電源回路部を備え、
前記時間情報生成部は、前記電源回路部の内部に備えられていることを特徴とする請求項１又は２に記載の携帯端末装置。
【発明の詳細な説明】
【技術分野】
【０００１】
本発明は、リアルタイムクロック（ＲＴＣ）を内蔵する携帯端末装置に関する。
【背景技術】
【０００２】
近年、携帯端末装置に蓄積する情報は、多様化しており、ユーザ以外の者による操作に対するセキュリティ性の向上が求められている。
【０００３】
このため、携帯端末装置へのキー操作を無効化するセキュリティ対策が種々提案されている（例えば、特許文献１を参照。）。
【０００４】
また、現在、携帯端末装置において、機能性向上のために、非接触ＩＣ（Ｉｎｔｅｇｒａｔｅｄ  Ｃｉｒｃｕｉｔ）チップであるＲＦＩＤ（Ｒａｄｉｏ  Ｆｒｅｑｕｅｎｃｙ  Ｉｄｅｎｔｉｆｉｃａｔｉｏｎ）等により外部と通信を行うための通信手段が筐体に内蔵されたものが増えつつある。
【０００５】
例えば、特許文献１では、ユーザの操作パターンを予め登録しておき、登録された操作パターン以外のパターンで操作キーが操作されると操作キーを自動的にロックすることで、非接触ＩＣチップを使用する際に起動されるアプリケーションプログラムの起動についてのセキュリティ性を向上させる技術が提案されている。
【０００６】
また、携帯電話装置における非接触ＩＣチップ機能の有効又は無効を制御する回路の機能ブロック図を図５に示す。携帯電話装置は、ＣＰＵ２００と、ＮＡＮＤ型フラッシュメモリ２０１と、ＦＦ回路２０２と、非接触ＩＣチップ２０３と、バッテリ２０４と、非接触ＩＣ用電源レギュレータ２０５と、ＣＰＵ電源レギュレータと、ＣＰＵリセット回路２０７と、を備えている。なお、非接触ＩＣ用電源レギュレータ２０５は、バッテリ２０４から供給される電源電圧を所定の電源電圧に変換し、変換後の電源原電圧を非接触ＩＣチップ２０３に供給する。また、ＣＰＵ電源レギュレータ２０６は、バッテリ２０４から供給される電源電圧を所定の電源電圧に変換し、変換後の電源電圧をＣＰＵ２００に供給する。
【０００７】
ＣＰＵ２００は、不揮発性メモリ（ＮＡＮＤ型フラッシュメモリ）２０１から非接触ＩＣチップ２０３機能の有効又は無効に関するユーザの設定情報を読み出し、ＧＰＩＯ（汎用入出力）ポート等でＦＦ（フリップフロップ）回路２０２に対して、非接触ＩＣチップ２０３のチップイネーブル信号を記憶させる。
【０００８】
非接触ＩＣチップ２０３は、外部から所定の信号が到来した場合、ＦＦ回路２０２の状態に応じて、非接触ＩＣチップ２０３の機能の有効又は無効を判断する。
【０００９】
また、携帯端末装置の電源制御ＩＣ内には、時間情報の保持を目的にＲＴＣ（Ｒｅａｌ  Ｔｉｍｅ  Ｃｌｏｃｋ）が内蔵されている。ＲＴＣは、外部の水晶振動子を発振させ、その発振された信号からクロック信号を生成し、時間情報を生成している。ＣＰＵは、ＲＴＣにより生成された時間情報に基づいて時刻を算出している（例えば、特許文献２又は３を参照。）。
【００１０】
また、二次電池を電源として駆動する携帯端末装置においては、ＲＴＣは、二次電池（例えば、Ｌｉイオン充電池）により電源電圧の供給を受け、また、二次電池の充電容量が無くなった場合には、補助電池により電源電圧の供給を受けるように構成されている。
【００１１】
したがって、ＣＰＵ２００は、二次電池の電池容量がなくなった場合においても、時間情報を失うことが無く、正確な時間を把握することができ、また、時間情報の更新も適宜行うことができる。また、携帯端末装置は、このような構成により、主電源のオン状態又はオフ状態にかかわらず時計表示やアラーム機能を実現することができる。
【特許文献１】特開２００６−５４５８１号公報
【特許文献２】特開２００１−２２８２７２号公報
【特許文献３】特開２００２−１３９５８５号公報
【発明の開示】
【発明が解決しようとする課題】
【００１２】
ところで、携帯端末装置では、非接触ＩＣチップによる通信を利用して、例えば、課金された情報を、通信ネットワークを介して収集し、月々の電話料金に加算して請求する等に用いられる。したがって、非接触ＩＣチップによる通信には、不正利用による不利益を回避するために、高度なセキュリティ性が要求されている。
【００１３】
ここで、ユーザは、非接触ＩＣチップによる通信の使用可否について、任意に設定を行うことができる。なお、非接触ＩＣチップによる通信の使用可否の設定及び変更には、例えば、暗証番号の入力が必要となる。
【００１４】
また、携帯端末装置は、主電源がオフ状態、又は二次電池の容量不足によりＣＰＵ２００が起動しない状態においても、ユーザの設定に基づく、非接触ＩＣチップによる通信の使用可否の判断を行う必要があり、例えば、非接触ＩＣチップによる通信の使用が不可の状態であれば、通信を行ってはならない。
【００１５】
したがって、主電源がオフ状態等の場合であっても非接触ＩＣチップによる通信の使用可否の情報を保持するために、ＦＦ回路２０２やＥＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）等の記憶部が必要となっていた。
【００１６】
このようにして、従来の構成は、ユーザによる設定情報を保持するために、ＦＦ回路２０２等を実装しなければならず、回路構成の簡素化及びコストダウンの妨げになっている。
【００１７】
そこで、本発明は、上述のような課題に鑑みてなされたものであり、ＦＦ回路２０２等の専用の記憶部を不要とし、セキュリティ性を担保しつつ小型化及びコストダウンを図ることができる携帯端末装置を提供することにある。
【課題を解決するための手段】
【００１８】
本発明に係る携帯端末装置は、上記課題を解決するために、水晶振動子の発振動作に基づいてクロック信号を生成する発振回路部と、所定の情報が書き込まれるレジスタと、を有し、前記クロック信号から時間情報を生成する時間情報生成部と、前記時間情報生成部に電源電圧を供給するバッテリと、前記時間情報に基づいて時刻を算出する制御部と、前記レジスタに接続されており、外部機器と磁界通信を行う磁界通信部と、を備え、前記制御部は、前記磁界通信部の不使用状態が指定された場合、前記レジスタに前記磁界通信部の不使用状態を示す情報を書き込み、前記磁界通信部は、前記外部機器から送信される外部磁界によって磁界通信が要求された場合、前記レジスタに前記不使用状態を示す情報が書き込まれているかどうかを確認し、前記レジスタに前記不使用状態を示す情報が書き込まれているときには、磁界通信を規制することを特徴とする。
【００１９】
また、上記携帯端末装置では、前記時間情報生成部は、前記クロック信号に基づいて生成した時間情報を前記レジスタに書き込み、前記レジスタに書き込まれている時間情報が所定時間に達した場合、前記レジスタに書き込まれている前記磁界通信部の不使用状態を示す情報を消去して、前記磁界通信部による磁界通信を可能にすることが好ましい。
【００２０】
また、上記携帯端末装置では、前記バッテリから供給される電源電圧を所定の電源電圧に変換し、変換後の電源電圧を前記磁界通信部に供給する電源回路部を備え、前記時間情報生成部は、前記電源回路部の内部に備えられていることが好ましい。
【発明の効果】
【００２１】
本発明によれば、セキュリティ性を担保しつつ小型化及びコストダウンを図ることができる。
【発明を実施するための最良の形態】
【００２２】
以下、本発明の実施の形態について説明する。
【００２３】
図１は、本発明に係る携帯端末装置の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でも良い。
【００２４】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５と、から構成されている。
【００２５】
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２と、を備えて構成されている。
【００２６】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とを折り畳んだ状態（折畳み状態）にしたりできる。
【００２７】
また、図２は、携帯電話装置１の機能を示す機能ブロック図である。携帯電話装置１は、図２に示すように、操作部１１と、マイク１２と、メインアンテナ４０と、ＲＦ回路部４１と、ＬＣＤ制御部４２と、音声処理部４３と、メモリ４４と、ＣＰＵ４５（制御部）と、電源部４６と、制御ＩＣ４７（電源回路部）と、ＲＦＩＤ部４８（磁界通信部）と、が操作部側に備えられ、ＬＣＤ表示部２１と、スピーカ２２と、ドライバＩＣ２３とが表示部側に備えられている。
【００２８】
メインアンテナ４０は、第１の使用周波数帯（例えば、８００ＭＨｚ）で外部装置と通信を行う。なお、本実施の形態では、第１の使用周波数帯として、８００ＭＨｚとしたが、これ以外の周波数帯であっても良い。また、メインアンテナ４０は、第１の使用周波数帯の他に、他の使用周波数帯（例えば、２ＧＨｚ）に対応できる、いわゆるデュアルバンド対応型による構成であっても良い。
【００２９】
ＲＦ回路部４１は、メインアンテナ４０によって受信した信号を復調処理し、処理後の信号をＣＰＵ４５に供給し、また、ＣＰＵ４５から供給された信号を変調処理し、メインアンテナ４０を介して外部装置（基地局）に送信する。
【００３０】
ＬＣＤ制御部４２は、ＣＰＵ４５の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１に出力する。
【００３１】
音声処理部４３は、ＣＰＵ４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００３２】
また、音声処理部４３は、ＣＰＵ４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００３３】
メモリ４４は、所定のデータが格納されている。
【００３４】
ＣＰＵ４５は、携帯電話装置１の全体を制御しており、特に、ＲＦ回路部４１、ＬＣＤ制御部４２、音声処理部４３及びカメラ（図示略）に対して所定の制御を行う。また、ＣＰＵ４５は、後述するレジスタ５２に書き込まれている時間情報を参照して、時刻情報（時、分、秒、曜日等）を算出している。
【００３５】
電源部４６は、二次電池４６Ａと、補助電池（一次電池あるいは第２の二次電池）４６Ｂとから構成されている。二次電池４６Ａは、所定容量を有する電池であり、例えば、リチウムイオン二次電池である。補助電池４６Ｂは、二次電池４６Ａの容量が無くなった場合のバックアップ電源である。また、電源部４６は、補助電池４６Ｂを備えない構成であっても良い。
【００３６】
制御ＩＣ４７は、電源部４６から供給される電源電圧を所定の電源電圧に変換し、変換後の電源電圧を携帯電話装置１の各部（例えば、ＣＰＵ４５、ＲＦＩＤ部４８等）に供給する。
【００３７】
また、制御ＩＣ４７には、時間情報の保持を行うＲＴＣ（Ｒｅａｌ  Ｔｉｍｅ  Ｃｌｏｃｋ）５０（時間情報生成部）が内蔵されている。
【００３８】
ここで、ＲＴＣ５０の構成と動作について説明する。ＲＴＣ５０は、図３に示すように、外部の水晶振動子６０の発振動作に基づいてクロック信号を生成する発振回路部５１と、所定の情報が書き込まれるレジスタ５２、を備えている。
【００３９】
また、ＲＴＣ５０は、発振回路部５１により生成されたクロック信号から時間情報を生成し、生成した時間情報をレジスタ５２に書き込む。
【００４０】
また、レジスタ５２は、ＲＦＩＤ部４８（詳細には、後述するＲＦＩＤチップ７１）に接続されている。
【００４１】
ここで、ＣＰＵ４５の動作について説明する。
【００４２】
ＣＰＵ４５は、ユーザによる所定操作に応じて、ＲＦＩＤ部４８の不使用状態が指定された場合、レジスタ５２にＲＦＩＤ部４８の不使用状態を示す情報を書き込む。具体的には、ＣＰＵ４５は、ユーザにより操作部１１が所定の操作が行われ、ＲＦＩＤ部４８の不使用状態が指定された場合、レジスタ５２の所定の領域（汎用バックアップレジスタの１ビット分の領域）にフラグを立てる。
【００４３】
つぎに、ＲＦＩＤ部４８の構成と動作について説明する。
【００４４】
ＲＦＩＤ部４８は、図４に示すように、第２の使用周波数帯（例えば、１３．５６ＭＨｚ）により外部装置（リーダ・ライタ）と通信を行う磁界アンテナ７０と、ＲＦＩＤチップ７１（非接触ＩＣチップ）と、を備える。
【００４５】
磁界アンテナ７０は、例えば、ＰＥＴ（ｐｏｌｙｅｔｈｙｌｅｎｅ  ｔｅｒｅｐｈｔｈａｌａｔｅ）材料からなるシート上に複数回渦巻き状に巻かれたコイルにより構成される磁界アンテナであって、外部装置との間で第２の使用周波数帯の信号を送受信する。
【００４６】
ＲＦＩＤチップ７１は、磁界アンテナ７０から供給される信号に応じて、所定の処理を行う。また、ＲＦＩＤチップ７１は、ＣＰＵ４５に接続されている。
【００４７】
ここで、ＲＦＩＤ部４８の動作について説明する。
【００４８】
磁界アンテナ７０は、外部に設置されているリーダ・ライタ装置に対して、所定距離まで接近したときに、当該リーダ・ライタ装置から送信される電磁波（第２の使用周波数帯であるキャリア周波数（例えば、１３．５６ＭＨｚ）により変調されている）を受信する。
【００４９】
また、ＲＦＩＤチップ７１は、磁界アンテナ７０により所定の電磁波を受信した場合、レジスタ５２に不使用状態を示す情報（フラグ）が書き込まれているかどうかを確認し、レジスタ５２に不使用状態を示す情報が書き込まれているときには、ＲＦＩＤ部４８による通信を規制（禁止）する。
【００５０】
また、ＲＴＣ５０は、クロック信号に基づいて生成した時間情報をレジスタ５２に書き込んでいるが、このレジスタ５２に書き込まれている時間情報が所定時間に達した場合、レジスタ５２に書き込まれているＲＦＩＤ部４８の不使用状態を示す情報を消去して、ＲＦＩＤ部４８による通信を可能にするような構成であっても良い。
【００５１】
なお、上述では、レジスタ５２に書き込まれている情報を消去するタイミングとして、所定時間に達した場合としたが、これに限られず、所定の日付（例えば、５月１０日）でも良いし、所定の時刻（例えば、１６：００）でも良いし、所定の日付と所定の時刻の組合せ（例えば、５月１０日１６：００）でも良いし、それ以外であっても良い。
【００５２】
また、本発明に係る携帯電話装置１では、ＲＴＣ５０のレジスタ５２の一部を汎用バックアップレジスタとして利用し、その１ビットを外部出力する構成になっている。したがって、ＣＰＵ４５がオフ状態の場合でも、ＲＦＩＤ部４８に当該１ビットの信号を供給することができ、ＲＦＩＤ部４８は、供給された当該１ビットの信号に基づいて使用の拒否を決定することができる。なお、ＲＴＣ５０自体は、ＣＰＵ４５がオフ状態でも、時間情報の更新及び保持を目的に動作している。
【００５３】
このようにして、本発明に係る携帯電話装置１は、ユーザによる所定操作に応じて、ＲＦＩＤ部４８の不使用状態が指定された場合、レジスタ５２にＲＦＩＤ部４８の不使用状態を示す情報（フラグ）を書き込み、磁界アンテナ７０により所定の電磁波を受信した場合、レジスタ５２に不使用状態を示す情報（フラグ）が書き込まれているかどうかを確認し、レジスタ５２に不使用状態を示す情報（フラグ）が書き込まれているときには、ＲＦＩＤ部４８による通信を規制（禁止）するので、従来の携帯電話装置のように、ＦＦ回路やＥＥＰＲＯＭ等の専用の記憶部を不要とし、セキュリティ性を担保しつつ小型化及びコストダウンを図ることができる。
【００５４】
また、本発明に係る携帯電話装置１では、ＲＴＣ５０は、ＲＦＩＤ部４８に給電を行う電源回路である制御ＩＣ４７に内蔵されているため、主電源がオフ状態であっても、ＲＦＩＤ部４８の使用が可能な場合において、他のブロック（例えば、ＣＰＵ４５等）への給電を行うことなく、すなわち必要最小限のブロックのみによりＲＦＩＤ部４８による通信を行うことができる。また、本発明に係る携帯電話装置１では、制御ＩＣ４７に内蔵されているレジスタ５２を利用して、ＲＦＩＤ部４８の不使用状態を確認するため、スペース効率が良い。
【００５５】
また、本発明を適用すると、以下のような応用例が考えられる。
【００５６】
本発明では、ＲＴＣ５０内の回路（レジスタ５２）を利用しているので、レジスタ５２に書き込まれている時間情報と組合せて、ＲＦＩＤ部４８の使用許否の設定を行うことができる。例えば、任意の時間や曜日だけＲＦＩＤ部４８の使用を不可にすることができる。なお、主電源がオフ状態の場合でも当該設定通りに動作する。
【００５７】
また、ＲＴＣ５０のレジスタ５２に書き込まれているＲＦＩＤ部４８の不使用状態の情報を利用して、ＲＦＩＤ部４８の使用許否だけでなく、他のデバイスと組合せて、当該他のデバイスの動作を制御することもできる。例えば、主電源がオフ状態であっても、レジスタ５２にフラグが立っている場合には、レジスタ５２に書き込まれている時間情報を参照し、任意の時間帯だけ他のデバイス（例えば、ＬＥＤ等）を動作（点灯）するように制御することができる。
【００５８】
また、主電源をオフ状態にした後、ＲＴＣ５０をタイマーとして利用して、一定期間だけＬＥＤを点灯させたり、バイブレータを動作させることもできる。
【００５９】
なお、本発明は、上述した実施の形態及び応用例に限定されるものではなく、本発明の要旨を逸脱しない範囲内で種々の改良、変形が可能であることは勿論である。
【図面の簡単な説明】
【００６０】
【図１】本発明に係る携帯電話装置の外観を示す斜視図である。
【図２】本発明に係る携帯電話装置の機能を示すブロック図である。
【図３】図２に示す携帯電話装置に備えられているＲＴＣの構成を示すブロック図である。
【図４】ＲＦＩＤ部の構成を示すブロック図である。
【図５】従来の携帯電話装置における非接触ＩＣチップ機能の有効又は無効を制御する回路の機能ブロック図である。
【符号の説明】
【００６１】
１  携帯電話装置
２  操作部側筐体部
３  表示部側筐体部
４  ヒンジ機構
４５  ＣＰＵ
４６  電源部
４７  制御ＩＣ
４８  ＲＦＩＤ部
５０  ＲＴＣ
５１  発振回路部
５２  レジスタ
６０  水晶振動子
７０  磁界アンテナ
７１  ＲＦＩＤチップ
【図１】
2009005052.tif 000003
【図２】
2009005052.tif 000004
【図３】
2009005052.tif 000005
【図４】
2009005052.tif 000006
【図５】
2009005052.tif 000007